(57)【特許請求の範囲】
【請求項１】
長四角形の底部長方両縁に左右側壁部と短方縁の一方に前頭壁部を備えた本体と部材で形成した凹型杷手野菜保持器で、前記凹型把手根野菜保持器は、底部下方縁に内アールを備えた前記左右側壁部に縦中心位置に長孔開口部を設け、前記長孔開口部の開口内部の短方内側中心の相対する位置に凹穴を設け、根野菜を回転させる外周縁にスリットを備えた小ローラー両端に凸部付き回転自在な前記小ローラーを設け、前記長孔開口部の凹穴に前記小ローラー両端凸部を係合させ設け、前記前頭壁の上部位置左右に間を置いて前記頭壁縁に平行並列に凹螺旋孔を２箇所設け、押さえ保持羽は、回転自在で根野菜を斜め横上部より軽く押える先細りで弾力のあるへの字形長方の触手を備え、前記押さえ保持羽一方の根元部に凸螺旋部設け、前記凹部螺旋孔に各々係合させ設け、前記底部左右縁に内アールを備えた前記底部長四角形の縦中心に間を置いて前記底部縁に平行並列に長孔開口部を２箇所設け、前記長孔開口部の開口内部の短方内側中心の相対する位置に凹穴を設け、前記長孔開口部には根野菜を回転させる外周縁にスリットを備えた回転自在な大ローラーを設け、前記大ローラーの両端中心に凸部を備え、前記大ローラーの凸部を前記凹穴に各々係合させ設け、前記前頭壁部に設けた前記押さえ保持羽２個と前記底部と前記左右側壁部に設けた４個の前記大小ローラー間に根野菜を軽く挟みこみ手動で前記大小ローラーを回転可能にし、根野菜の皮付き部分を上向きに手動で回転でき前記根野菜をピーラーで剥けるようにしたことを特徴とする凹型把手野菜保持器。
【発明の詳細な説明】
【技術分野】
【０００１】
本発明は、皮剥き器（ピーラー）使用時の根野菜保持器に関し、より詳しくは、家庭の炊事場や店の調理場に於いて大根や人参、山芋、胡瓜等々の皮をむくことやスライス等を行なう簡易皮剥き器に係る根野菜保持器に関する。
【背景技術】
【０００２】
従来根物野菜皮剥き器（ピーラー）使用時の野菜保持器に関し、大根等の根野菜その他の棒状物を回転させつつ搬送する搬送手段と、前記搬送手段の中途に前記棒状の進行方向に対して傾けて配設され、その上を回転しながら通過する前記棒状物に適圧にて接触するピーラーとを有する根菜類等自動皮剥き装置はあった。（特許文献１参照）
【０００３】
従来根物野菜皮剥きに関し、皮剥き作業時に野菜を皮剥きしやすい状態に保持でき、その状態で片手にての皮剥ぎが可能となり、以って大量の皮剥ぎ作業を短時間に効率よく行うことを可能ならしめる野菜の皮剥き作業スタンドを提供するものはあった。（特許文献２参照）
【０００４】
従来のカバー付きピーラーに関し、刃部を保護すると共に不用意な怪我を防止するためのカバーを備えたカバーであって、柄部と支持部と刃部本体と、長穴に刃部を形成したピーラーと、刃部本体に脱着可能に付設するカバーとを備えたカバー付きピーラーであって、カバーは刃部本体の両側辺に係止する爪部と、爪部を突設した桶状のカバー基体と、カバー基体に接続部を介装して延設したツマミ部から成り、ツマミ部を摘んで爪部を開放するための回動支点は爪部を直系とする真円線上の直角方向に位置させると共に、作業点を真円線上の爪部を通過する中心線より回動支点側に位置させたカバーを備えたカバー付きピーラーはあった。（特許文献３参照）
【０００５】
従来の皮剥き用野菜保持具に関し、全体が直棒状にして、基部に杷手部を形成し、先端部に野菜お突き刺して保持する刺突棒部を形成すると共に、刺突棒基部側に野菜受部を設け、野菜受部と杷手部間に適宜長さの間隔維持部を設け、特に前記刺突棒部を板状金属板とし、又は前記野菜受部の先部面に刺突棒部に突き刺した野菜等の回動を阻止するストッパー突起を設けてなる。更に杷手部の先方箇所に鍔体を装着するものはあった。（特許文献４参照）
【先行技術文献】
【特許文献】
【０００６】
【特許文献１】特開２００３−１１６５０８号公報
【特許文献２】特開２００８−１４８６２８号公報
【特許文献３】実案出２００８−２８９７号公報
【特許文献４】実案出２００８−１０４６号公報
【発明の概要】
【発明が解決しようとする課題】
【０００７】
上記特許文献１に於いては、根野菜皮剥きに関し、多機能野菜皮剥き器や大量にスライスできる皮剥き器の自動装置の発明であり、上記特許文献２は野菜皮剥き作業スタンドの発明である。また上記特許文献３はピーラーに付設して安全を保持するピーラーの発明であり、上記特許文献４はピーラー等の器具を使用して野菜等の皮剥きを行なう再に、野菜の保持を確実にして安全に作業できる保持具の発明であった。
【０００８】
本発明は、上記のような従来の問題点や欠点を改善して、ピーラー使用時の凹型把手根野菜保持器に関し、大根や人参、ゴボウ、山芋、胡瓜等を皮剥きして調理する際、前記凹型把手根野菜保持器に前記材料の単品を入れ大小のローラーを手動で回転させ上部のみの皮部分をピーラーで剥くことにより、前記各種の材料を無駄なく、手指を損傷することも無く安全に最後まで皮剥きすることができるピーラー使用時の凹型把手根野菜保持器を提供するものである。
【課題を解決するための手段】
【０００９】
本発明は、長四角形の底部長方両縁に左右側壁部と短方縁の一方に前頭壁部を備えた本体と部材で形成した凹型杷手野菜保持器で、前記凹型把手根野菜保持器は、底部下方縁に内アールを備えた前記左右側壁部に縦中心位置に長孔開口部を設け、前記長孔開口部の開口内部の短方内側中心の相対する位置に凹穴を設け、根野菜を回転させる外周縁にスリットを備えた小ローラー両端に凸部付き回転自在な前記小ローラーを設け、前記長孔開口部の凹穴に前記小ローラーの両端凸部を係合させ設け、前記前頭壁の上部位置左右に間を置いて前記前頭壁縁に平行並列に凹螺旋孔を２箇所設け、押さえ保持羽は、回転自在で根野菜を斜め横上部より軽く押える先細りで弾力のあるへの字形長方の触手を備え、前記押さえ保持羽一方の根元部に凸螺旋部設け、前記凹螺旋孔に各々係合させ設け、前記底部左右縁に内アールを備えた前記底部長四角形の縦中心に間を置いて前記底部縁に平行並列に長穴開口部を２箇所設け、前記長穴開口部の開口内部の短方内側中心の相対する位置に凹穴大を設け、前記長穴開口部には根野菜を回転させるスリットを備えた回転自在な大ローラーを設け、前記大ローラーの両端中心に凸部大を備え、前記大ローラーの前記凸部大を前記凹穴大に各々係合させ設け、前記前頭壁部に設けた前記押さえ保持羽２個と前記底部と前記左右側壁部に設けた４個の前記大小ローラー間に根野菜を軽く挟みこみ手動で前記大小ローラーを回転可能にし、根野菜の皮付き部分を上向きに手動で回転でき前記根野菜をピーラーで剥けるようにした凹型把手野菜保持器。
【発明の効果】
【００１０】
本発明の凹型把手根野菜保持器は、根野菜剥き調理に於いて、従来のピーラーを使い、根野菜を手で持ち皮をむいて行くのであるが、剥いてゆくにしたがい根野菜はつるつるしてきて、剥き終わりに近くなるとピーラーで手指を怪我することが度々であった。そこで本発明の凹型把手根野菜保持器を発明したことにより、諸々の難題が解決でき、社会に貢献できるものである。
【図面の簡単な説明】
【００１１】
【図１】本発明の形態の実施例となる凹型把手根野菜保持器の斜視図
【図２】本発明の形態の実施例となる凹型把手根野菜保持器の図２−１保持羽の側面図と図２−２保持羽の平面図
【図３】本発明の形態の実施例となる凹型把手根野菜保持器の図１でA１の切断断面図
【図４】本発明の形態の実施例となる凹型把手根野菜保持器の左側壁部の図
【図５】本発明の形態の実施例となる凹型把手野菜保持器の大小ローラーのスリットの断面図
【発明を実施するための形態】
【００１２】
以下、本発明の実施の形態を実施例となる図１〜図５の参照に基づいて説明する。
【００１３】
図１は、本発明の実施例となる凹型把手根野菜保持器の全体を斜視図で示し、長四角形の底部1長方両縁に左側壁部２右側壁部３と短方縁の一方に前頭壁部４を備えた本体と部材で形成し、前記左右側壁部２，３に長孔開口部５を設け、前記長孔開口部５の短方中心に凹穴６を設け、部材の外周縁にスリットを備えた小ローラー７両端に凸部８を設け、前記凹穴６と凸部８を係合させ、小ローラーを回転自在にするとよい。
前頭壁９の上部位置左右に間を置いて並列に凹螺旋孔１０を２箇所設け、押さえ保持羽１１は、回転自在で根野菜を斜め横上部より軽く押える先細りで弾力のあるへの字形長方の触手１２を備え、前記押さえ保持羽１１一方の根元部に凸螺旋部１３設け、前記凹螺旋孔１０に係合させ設けるとよい。
前記底部１縁に内アール１５を備えた前記底部１長四角形の縦中心に間を置いて並列に長穴開口部１６を２箇所設け、前記長穴開口部１６の開口内部の短方内側中心の相対する位置に凹穴大１４を設け、前記長穴開口部１６には根野菜を回転させる外周縁にスリットを備えた回転自在な大ローラー９を設け、前記大ローラー９の両端中心に凸部大１７を備え、前記大ローラー９の前記凸部大１７を前記凹穴大１４に係合させ設けるとよい。
前記底部１４に設けた並列の大ローラー９上に根野菜を置き、前記左右側壁部２，３の前記小ローラー７間の前記根野菜は前記前頭壁９に設けた押さえ保持羽１１の触手１２により抱え込まれるでよい。更に前記大小ローラー７，９を手動を動かすことにより根野菜が回転するように設けているのでよい。
従って、ピーラーで皮むきの時、根野菜の皮付き部分を上部向きにできるので、上部のみの皮むきをしてゆくと一回転した処で皮むきが終了するのでよい。
【００１４】
図２は、本発明の実施例の形態の実施例となる
図２−１の側面図で、凸螺旋部１３と合成樹脂性の内アールを備えた弾力のある押さえ保持羽１１と軟弱な触手を用いるとよい。従って根野菜を横斜め上より抱き込むことが出来るように設けるとよい。
図２−２の側面図で、凸螺旋部１３と合成樹脂性の内アールを示し弾力のある押さえ保持羽１１と前記押さえ保持は羽１１の先端の触手１２を示していて野菜を優しく抱きこむことができるのでよい。
【００１５】
図３は、本発明の実施例の形態の実施例となる凹型把手根野菜保持器の切断断面図で、前頭壁部４の上部左右並列に凹螺旋孔１０を設け、前記凹螺旋孔１０に係合する押さえ保持羽１１を設けるとよい。
左右側壁部２，３に長孔開口部５を設け、前記長孔開口部５の短方中心位置に凹穴６を設け、両端に凸部８を備えた回転自在な小ローラー７を設け、前記凹穴６と前記凸部８を係合させるとよい。
底部１に長穴開口部１６を設け、前記長穴開口部１６の短方中心位置に凹穴大１４を設け、両端に凸部大１７を備えた回転自在な大ローラー９を設け、前記凹穴大１４と凸部大１７を係合させるとよい。
【００１６】
図４は、本発明の実施の形態の実施例となる本体の左側面図で、頭壁部４の上部に並列に凹螺旋孔１０設け、押さえ保持羽１１の一方に設けた凸螺旋ぶ１３を係合させ設け、左側壁部２に長孔開口部５を設け、前記長孔開口部５の短方中心に凹穴６を設け、前記凹穴６に係合する両端中心に凸部８を備え回転をスムースに行うために外周縁にスリットを更に設けた小ローラー７を設けるとよい。更に底部１に長穴開口部１６を設け、前記長穴開口部１６の短方中心に凹穴１４を設け、両端中心に凸部大１７とローラーが外周縁に備えた大ローラー９を設けるとよい。
【００１７】
図５は、本発明の実施の形態の実施例となる大小ロール棒７、９の断面図であり、
図５−１は、大ローラー９の断面図で円中心の円は凸部大１７を示し、円外周縁のぎざぎざはスリットを示していて手動で回転させるときの滑り止めとして回転を補助できるのでよい。
図５−２は、小ローラー７の断面図で円中心の円は凸部８を示し、円外周縁にスリット１８を設けてあるので回転をスムーズに行えるように滑り止めにとして回転を補助できるのでよい。
【符号の説明】
【００１８】
１    長四角形の底部
２    左側壁部
３    右凹型溝
４    前頭壁部
５    長孔開口部
６    凹穴
７    小ローラー
８    凸部
９    大ローラー
１０  凹螺旋孔
１１  押さえ保持羽
１２  触手
１３  凸螺旋部
１４  凹穴大
１５  内アール
１６  長穴開口部
１７  凸部大
１８  スリット
A１  凹型把手根野菜保持器
【要約】
【課題】
ピーラー使用時の凹型把手野菜保持器は、ピーラーを使って根野菜の皮をむく時、素手で持ち皮をむいてゆくのであるが、ピーラーで手指を怪我することが度々起こっていた。怪我なく楽しく皮むきが出来るように安全な凹型把手根野菜保持器を得る。
【解決手段】
前頭壁部に設けた押さえ保持羽２個と底壁部と左右側壁部に設けた４個の回転可能な大小ローラー間に根野菜を軽く挟みこみ手動で前記大小ローラーを回転させ、皮付き部分を上向きに出来るようになるようにした。
【選択図】図１【図１】
0004648502.tif 000002
【図２】
0004648502.tif 000003
【図３】
0004648502.tif 000004
【図４】
0004648502.tif 000005
【図５】
0004648502.tif 000006